(57)【要約】    【課題】  アイブロウペンシルや刷毛等の眉描写具を常に最適な角度に安定して保持した状態で、左右の眉を簡単に、バランス良く美しく描くことができる化粧用眼鏡フレーム及びこれを備えた化粧用眼鏡並びに化粧用キットを提供する。    【解決手段】  右側リム１１Ｒと、左側リム１１Ｌと、右側リム１１Ｒ及び左側リム１１Ｌを連結するブリッジ１２と、右側リム１１Ｒ及び左側リム１１Ｌに各々連結されたテンプル１３Ｒ及び１３Ｌを備え、右側リム１１Ｒ及び左側リム１１Ｌの上部の形状を眉型形状とし、この上部に、前記眉型形状を保持して少なくとも使用者の顔近傍まで延出し、眉描写具を移動可能に支持する支持部１５を設けた化粧用眼鏡フレーム１である。【選択図】    図２
2006047615.tif 000002
【特許請求の範囲】
【請求項１】
右側リムと、
左側リムと、
前記右側リム及び左側リムを連結するブリッジと、
前記右側リム及び左側リムにそれぞれ連結されたテンプルと、
を、備えてなり、
前記右側リムの上部の形状及び左側リムの上部の形状を眉型形状とし、当該右側リムの上部及び左側リムの上部に、前記眉型形状を保持して少なくとも使用者の顔近傍まで延出し、眉描写具を移動可能に支持する支持部を設けた化粧用眼鏡フレーム。
【請求項２】
前記支持部が使用者の顔に接触可能な位置まで延出してなる請求項１記載の化粧用眼鏡フレーム。
【請求項３】
前記右側リムの上部に設けられた支持部と、前記左側リムの上部に設けられた支持部が一体的に形成されてなる請求項１または請求項２記載の化粧用眼鏡フレーム。
【請求項４】
前記右側リムの上部及び左側リムの上部に、当該両リムの上部の形状に沿って配設されたレール部材と、当該レール部材に係合して移動可能な移動部材と、を有し、
前記移動部材に、眉描写具を着脱可能に保持する保持部を設け、当該移動部材の移動に伴って前記眉描写具を移動させる請求項１ないし請求項３のいずれか一項に記載の化粧用眼鏡フレーム。
【請求項５】
前記支持部は、前記レール部材が配設されるレール部材配設領域よりも使用者の顔側が、眉描写具を移動可能に支持する支持領域となる請求項４記載の化粧用眼鏡フレーム。
【請求項６】
前記レール部材がラックであり、前記移動部材がピニオンである請求項４または請求項５記載の化粧用眼鏡フレーム。
【請求項７】
右側リムと、
左側リムと、
前記右側リム及び左側リムを連結するブリッジと、
前記右側リム及び左側リムにそれぞれ連結されたテンプルと、
前記右側リム及び左側のリムに設けられると共に、眉型形状を備えた眉描写用孔が開口された眉描写プレートと、
を、備えてなり、
前記右側リム及び左側のリムに設けられた眉描写プレートの眉描写用孔の下方に、当該眉描写用孔の下縁の形状を保持して少なくとも使用者の顔近傍まで延出し、前記眉描写用孔に挿入された眉描写具を移動可能に支持する支持部を設けた化粧用眼鏡フレーム。
【請求項８】
前記支持部が使用者の顔に接触可能な位置まで延出してなる請求項７記載の化粧用眼鏡フレーム。
【請求項９】
前記眉描写プレートは、前記右側リム及び左側のリムに着脱可能に設けられる請求項７または請求項８記載の化粧用眼鏡フレーム。
【請求項１０】
右側リムと、
左側リムと、
前記右側リム及び左側リムを連結するブリッジと、
前記右側リム及び左側リムにそれぞれ連結されたテンプルと、
を、備えてなり、
前記右側リムの上部の形状及び左側リムの上部の形状を眉型形状とし、前記右側リムの上部及び左側リムの上部に、当該両リムの上部の形状に沿って配設されたレール部材と、当該レール部材に係合して移動可能な移動部材と、を有し、前記移動部材に、眉描写具を着脱可能に保持する保持部を設けた化粧用眼鏡フレーム。
【請求項１１】
請求項１ないし請求項１０のいずれか一項に記載の化粧用眼鏡フレームと、
前記化粧用眼鏡フレームの右側リム及び左側リムに各々取付けられるレンズと、
を、備えた化粧用眼鏡。
【請求項１２】
前記レンズは、近視用、遠視用、遠近両用のいずれかである請求項１０記載の化粧用眼鏡。
【請求項１３】
眉描写具と、
請求項１ないし請求項１０のいずれか一項に記載の化粧用眼鏡フレームと、
を、備えてなる化粧用キット。
【請求項１４】
眉描写具と、
請求項１１または請求項１１に記載された化粧用眼鏡と、
を、備えてなる化粧用キット。
【発明の詳細な説明】
【技術分野】
【０００１】
本発明は、眉を簡単にきれいに描くことができる化粧用眼鏡フレーム及びこれを備えた化粧用眼鏡並びに化粧用キットに関する。
【背景技術】
【０００２】
人の顔の印象は、眉の形によって大きく変わってくるため、化粧（メイク）をする債には、いかに眉を自然に美しく描くかが重要である。そこで、従来から、眉の描き方について、雑誌や書籍等で解説がなされたり、メイク教室で指導がなされたりしている。
【０００３】
しかしながら、自分に似合う眉の描き方を習得するためには練習が必要であり、中には適切な眉がなかなか描けない者もいる。特に、左右の眉をバランス良く描くことは困難である。
【０００４】
そこで、使用者の顔の両眼及び両眉位置に、例えば、アイマスクのように被ることができ、接眼孔及び眉形状をした切欠孔を設けた覆面板に、ゴムバンドを取り付けて、当該覆面板を使用者の顔の両眼及び両眉位置に保持することを可能にした化粧用プレートが紹介されている。（例えば、特許文献１参照）。
【０００５】
この化粧用プレートは、アイマスクのように顔に被って使用することで、前記眉形状をした切欠孔にアイブロウペンシル等の眉描写具を挿入し、この切欠孔に沿って眉を描くことで、眉の形状をきれいに仕上げることができる。
【０００６】
また、左右の眉を引くための一対の眉引きテンプレート部と、この左右一対の眉引きテンプレート部を支持する支持部を有し、当該支持部が眼鏡のフレームに着脱自在に取付け可能なクリップ構造であるアイブローライターも紹介されている。（例えば、特許文献２参照）。
【０００７】
このアイブローライターは、眼鏡のフレームに取付けることで、アイブローライターを手で押さえていなくても、一対の眉引きテンプレート部に沿って眉描写具で左右の眉を美しく描くことができる。
【特許文献１】特開平９−２８４５８号公報
【特許文献２】実登３０８８９５２号公報
【発明の開示】
【発明が解決しようとする課題】
【０００８】
しかしながら、前記従来の化粧用プレートは、ゴムバンドによって覆面板を顔の所定位置に保持することになるため、顔からずれやすく、片手で押さえながら使用しなければならない。
【０００９】
また、前記従来のアイブローライターは、一対の眉引きテンプレート部と使用者の顔との間に、ある程度の距離があり、ここに空間が存在するため、眉描写具を一対の眉引きテンプレート部に沿って水平に動かそうとした際に、眉描写具が傾き易く、一対の眉引きテンプレート部の形状通りの眉を描くことが困難である。
【００１０】
本発明は、このような従来の問題点を解決することを課題とするものであり、アイブロウペンシルや刷毛等の眉描写具を常に最適な角度に安定して保持した状態で、左右の眉を簡単に、バランス良く美しく描くことができる化粧用眼鏡フレーム、及びこれを備えた化粧用眼鏡、並びに化粧用キットを提供することを目的とする。
【課題を解決するための手段】
【００１１】
この目的を達成するため、本発明は、右側リムと、左側リムと、前記右側リム及び左側リムを連結するブリッジと、前記右側リム及び左側リムにそれぞれ連結されたテンプルと、を備えてなり、前記右側リムの上部の形状及び左側リムの上部の形状を眉型形状とし、当該右側リムの上部及び左側リムの上部に、前記眉型形状を保持して少なくとも使用者の顔近傍まで延出し、眉描写具を移動可能に支持する支持部を設けた化粧用眼鏡フレームを提供するものである。
【００１２】
この構成を備えた化粧用眼鏡フレームは、支持部により眉描写具を支持しながら移動させることができるため、眉を描く際に眉描写具が不必要に傾くことなく、眉描写具を常に最適な角度で安定して保持することができる。したがって、前記右側リムの上部の形状及び左側リムの上部の形状（眉型形状）に基づいて左右の眉を簡単に、バランス良く美しく描くことができる。
【００１３】
また、本発明にかかる化粧用眼鏡フレームは、前記支持部を使用者の顔に接触可能な位置まで延出させることもできる。
【００１４】
そしてまた、前記右側リムの上部に設けられた支持部と、前記左側リムの上部に設けられた支持部とを、一体的に形成することもできる。
【００１５】
また、本発明にかかる化粧用眼鏡フレームは、前記右側リムの上部及び左側リムの上部に、当該両リムの上部の形状に沿って配設されたレール部材と、当該レール部材に係合して移動可能な移動部材と、を有し、前記移動部材に、眉描写具を着脱可能に保持する保持部を設け、当該移動部材の移動に伴って前記眉描写具を移動させる構成とすることもできる。このようにすることで、左右の眉を、さらに確実且つ簡単にバランス良く美しく描くことができる。
【００１６】
さらにまた、前記支持部は、前記レール部材が配設されるレール部材配設領域よりも使用者の顔側が、眉描写具を移動可能に支持する支持領域となるように構成することもできる。
【００１７】
さらにまた、前記レール部材としては、例えば、ラックが挙げられ、前記移動部材としては、例えば、当該ラックに噛合するピニオンを挙げることができる。
【００１８】
また、本発明は、右側リムと、左側リムと、前記右側リム及び左側リムを連結するブリッジと、前記右側リム及び左側リムにそれぞれ連結されたテンプルと、前記右側リム及び左側のリムに設けられると共に、眉型形状を備えた眉描写用孔が開口された眉描写プレートと、を備えてなり、前記右側リム及び左側のリムに設けられた眉描写プレートの眉描写用孔の下方に、当該眉描写用孔の下縁の形状を保持して少なくとも使用者の顔近傍まで延出し、前記眉描写用孔に挿入された眉描写具を移動可能に支持する支持部を設けた化粧用眼鏡フレームを提供するものである。
【００１９】
この構成を備えた化粧用眼鏡フレームは、使用者が、眉描写プレートの眉描写用孔に眉描写具を挿入して眉を描く際に、支持部により眉描写具を支持しながら移動させることができるため、眉を描く際に眉描写具が不必要に傾くことなく、眉描写具を常に最適な角度で安定して保持することができる。したがって、前記右側リムの上部の形状及び左側リムの上部の形状（眉型形状）に基づいて左右の眉を簡単に、バランス良く美しく描くことができる。
【００２０】
また、本発明にかかる化粧用眼鏡フレームは、前記支持部を使用者の顔に接触可能な位置まで延出させることができる。
【００２１】
前記眉描写プレートは、前記右側リム及び左側のリムに着脱可能に設けことができる。このようにすることで、眉描写用孔の形状が異なる眉描写プレートを用意すれば、一つのフレームで、眉描写プレートを交換することにより、複数の種類の眉を描写することができる。
【００２２】
さらにまた、本発明は、右側リムと、左側リムと、前記右側リム及び左側リムを連結するブリッジと、前記右側リム及び左側リムにそれぞれ連結されたテンプルと、を備えてなり、前記右側リムの上部の形状及び左側リムの上部の形状を眉型形状とし、前記右側リムの上部及び左側リムの上部に、当該両リムの上部の形状に沿って配設されたレール部材と、当該レール部材に係合して移動可能な移動部材と、を有し、前記移動部材に、眉描写具を着脱可能に保持する保持部を設けた化粧用眼鏡フレームを提供するものである。
【００２３】
この構成を備えた化粧用眼鏡フレームは、移動部材に設けられた保持部に眉描写具を安定して保持した状態で、レール部材に沿って移動させることができる。すなわち、移動部材を前記右側リムの上部の形状及び左側リムの上部の形状に沿って移動させることができる。したがって、眉を描く際に眉描写具が不必要に傾くことなく、眉描写具を常に最適な角度で安定して保持することができる。したがって、前記右側リムの上部の形状及び左側リムの上部の形状（眉型形状）に基づいて左右の眉を簡単に、バランス良く美しく描くことができる。
【００２４】
そしてまた、本発明は、前述した化粧用眼鏡フレームと、前記化粧用眼鏡フレームの右側リム及び左側リムに各々取付けられるレンズと、を備えた化粧用眼鏡を提供するものである。
【００２５】
前記レンズは、近視用、遠視用、遠近両用のいずれかを使用することができ、視力が弱い使用者であっても、レンズにより視力を矯正した状態で、左右の眉を簡単に、バランス良く美しく描くことができる。
【００２６】
そしてまた、本発明は、眉描写具と、前述した化粧用眼鏡フレームとを備えてなる化粧用キットを提供するものである。
【００２７】
さらにまた、本発明は、眉描写具と、前述した化粧用眼鏡とを備えてなる化粧用キットを提供するものである。
【発明の効果】
【００２８】
本発明にかかる化粧用眼鏡フレームによれば、前記右側リムの上部の形状及び左側リムの上部の形状（眉型形状）に沿って、眉描写具により左右の眉を描く際に、この眉描写具を支持部によって支持することができる。このため、眉描写具が不必要に傾くことなく、眉描写具を常に最適な角度で安定して保持することができる。この結果、左右の眉を簡単に、バランス良く美しく描くことができる。
【００２９】
また、本発明にかかる他の化粧用眼鏡フレームによれば、眉描写プレートの眉描写用孔に眉描写具を挿入して眉を描く際に、支持部により眉描写具を支持しながら移動させることができる。このため、眉を描く際に眉描写具が不必要に傾くことなく、眉描写具を常に最適な角度で保持することができる。この結果、前記右側リムの上部の形状及び左側リムの上部の形状（眉型形状）に基づいて左右の眉を簡単に、バランス良く美しく描くことができる。
【００３０】
そしてまた、本発明にかかる他の化粧用眼鏡フレームによれば、移動部材に設けられた保持部に眉描写具を安定して保持した状態で、前記右側リムの上部の形状及び左側リムの上部の形状に沿って、当該眉描写具を移動させることができる。このため、眉を描く際に眉描写具が不必要に傾くことなく、眉描写具を常に最適な角度で安定して保持することができる。この結果、前記右側リムの上部の形状及び左側リムの上部の形状（眉型形状）に基づいて左右の眉を簡単に、バランス良く美しく描くことができる。
【００３１】
また、本発明にかかる化粧用眼鏡によれば、視力が弱い使用者であっても、両リムに設けられたレンズにより視力を矯正した状態で、左右の眉を簡単に、バランス良く美しく描くことができる。
【発明を実施するための最良の形態】
【００３２】
次に、本発明の好適な実施形態にかかる化粧用眼鏡フレーム及びこれを備えた化粧用眼鏡並びに化粧用キットについて図面を参照して説明する。なお、以下に記載される実施例は、本発明を説明するための例示であり、本発明をこれらの実施形態にのみ限定するものではない。したがって、本発明は、その要旨を逸脱しない限り、様々な形態で実施することができる。
【実施例１】
【００３３】
図１は、実施例１にかかる化粧用眼鏡フレームの正面図、図２は、図１に示す化粧用眼鏡フレームの側面図、図３は、図１に示す化粧用眼鏡フレームの上から見た平面図、図４は、実施例１にかかる化粧用眼鏡フレームの使用状態を示す正面図、図５は、実施例１にかかる化粧用眼鏡フレームの使用状態を示す側面図である。
【００３４】
図１〜図５に示すように、実施例１にかかる化粧用眼鏡フレーム１は、右側リム１１Ｒと、左側リム１１Ｌと、右側リム１１Ｒ及び左側リム１１Ｌを連結するブリッジ１２と、右側リム１１Ｒ及び左側リム１１Ｌにそれぞれ連結されると共に、先端が使用者の耳に掛けられるよう湾曲したテンプル１３Ｒ及び１３Ｌと、右側リム１１Ｒ及び左側リム１１Ｌの上部に設けられ、使用者の顔の近傍まで延出した支持部１５と、を備えて構成されている。
【００３５】
右側リム１１Ｒ及び左側リム１１Ｌは、使用者が化粧用眼鏡フレーム１を、眼鏡をかける動作と同様にして装着した際に、その上端部が、ほぼ使用者の眉毛の高さになり、左右方向の長さ（幅）が、使用者の眉毛を描くために充分な長さとなるようなサイズで構成されている。そして、この右側リム１１Ｒ及び左側リム１１Ｌの上端部は、所望の理想的な眉型形状と同様の形状を備えている。
【００３６】
支持部１５は、その上面が、右側リム１１Ｒ及び左側リム１１Ｌの上端部の形状、すなわち眉型形状を保持した状態で、使用者の顔の近傍まで延出するよう形成されている。この支持部１５は、特に図３に示すように、右側リム１１Ｒの上端部から左側リム１１Ｌの上端部にわたって一体に形成されており、使用者が、眉描写具としてのアイブロウペンシル１００で左右の眉を描く際に、アイブロウペンシル１００を移動可能に支持するために設けられている。
【００３７】
なお、支持部１５は、例えば、プラスチック等から形成することができる。特に、透明なプラスチック等から形成することで、視界が遮られることを防止することができる。また、支持部１５の厚さ（上下方向の長さ）は、なるべく薄く（短く）することが、使用感からも好適である。
【００３８】
この構成を備えた化粧用眼鏡フレーム１を利用して、左右の眉をアイブロウペンシル１００で描く場合、使用者は、先ず、図４及び図５に示すように、眼鏡をかける動作と同様にして、化粧用眼鏡フレーム１を装着する。次に、アイブロウペンシル１００を支持部１５の上面１５Ｕに載せた状態で、上面１５Ｕの形状に沿って、アイブロウペンシル１００を動かす。
【００３９】
この時、アイブロウペンシル１００は、支持部１５の上面１５Ｕに支持されているため、アイブロウペンシル１００が不必要に傾くことがなく、アイブロウペンシル１００を常に最適な角度で安定して保持することができる。したがって、アイブロウペンシル１００を動かすだけで、左右の眉をバランス良く描くことができる。
【００４０】
また、アイブロウペンシル１００は、左右の眉を任意の太さで描くことができる範囲において、上下に動かすことが可能である。
【００４１】
なお、実施例１にかかる化粧用眼鏡フレーム１は、右側リム１１Ｒ及び左側リム１１Ｌに、近視用、遠視用、遠近両用のいずれかのレンズ（図示せず）を嵌めて、化粧用眼鏡として使用することもできる。
【００４２】
なお、実施例１では、支持部１５として、右側リム１１Ｒの上端部から左側リム１１Ｌの上端部にわたって一体に形成された構成のものを使用した場合について説明したが、これに限らず、支持部は、右側リム１１Ｒの上端部と、左側リム１１Ｌの上端部に、それぞれ独立した状態で設けてもよい。
【００４３】
また、実施例１では、支持部１５を使用者の顔の近傍まで延出させた場合について説明したが、支持部１５は、所望により、使用者の顔に接触するまで延出させてもよい。
【００４４】
また、実施例１で説明した化粧用眼鏡フレーム１とアイブロウペンシル１００（あるいは、筆、チップ等の眉描写具）をセットにして、化粧用キットとしてもよい。さらに、実施例１で説明した化粧用眼鏡と、アイブロウペンシル１００（あるいは、筆、チップ等の眉描写具）をセットにして、化粧用キットとしてもよい。
【実施例２】
【００４５】
次に、本発明の実施例２にかかる化粧用眼鏡フレーム及びこれを備えた化粧用眼鏡並びに化粧用キットについて図面を参照して説明する。
【００４６】
図６は、実施例２にかかる化粧用眼鏡フレームの正面図、図７は、図６に示す化粧用眼鏡フレームの側面図、図８は、図６に示す化粧用眼鏡フレームの上から見た平面図、図９は、実施例２にかかる化粧用眼鏡フレームの使用状態を示す側面図、図１０は、図６の一部拡大図、図１１は、図７の一部拡大図である。
【００４７】
なお、実施例２では、実施例１で説明した部材と同様の部材には、同一の符号を付し、その詳細な説明は省略する。
【００４８】
図６〜図１１に示すように、実施例２にかかる化粧用眼鏡フレーム２は、右側リム１１Ｒと、左側リム１１Ｌと、ブリッジ１２と、テンプル１３Ｒ及び１３Ｌと、右側リム１１Ｒ及び左側リム１１Ｌの上部に設けられ、使用者の顔の近傍まで延出した支持部２５と、を備えて構成されている。
【００４９】
右側リム１１Ｒ及び左側リム１１Ｌの上端面には、この上端面の形状に沿って配設されたラック２６が設けられている。このラック２６は、後に詳述するピニオン２４Ｒ及び２４Ｌが噛合して移動するよう構成されている。
【００５０】
支持部２５は、ラック２６が配設された領域よりも使用者の顔側が、一段高くなった段部状に形成されており、この段部２３の上面２３Ｕも右側リム１１Ｒ及び左側リム１１Ｌの上端面の形状と同様の形状を備えている。この段部２３の上面２３Ｕが、後に詳述する保持部材２８Ｒ及び２８Ｌに保持されたアイブロウペンシル１００を移動可能に支持することが可能な支持領域となっている。この段部２３の使用者の顔から離れた側の面には、後に詳述するピニオン２４Ｒ及び２４Ｌの回転軸２２Ｒ及び２２Ｌが各々挿入され、これらを移動可能に保持する移動用孔２７Ｒ及び２７Ｌが、右側リム１１Ｒ及び左側リム１１Ｌの上端面の形状に沿って開口されている。
【００５１】
なお、支持部２５は、例えば、プラスチック等から形成することができる。特に、透明なプラスチック等から形成することで、視界が遮られることを防止することができる。また、支持部２５の厚さ（上下方向の長さ）は、なるべく薄く（短く）することが、使用感からも好適である。
【００５２】
移動用孔２７Ｒ及び２７Ｌは、開口部が内部よりも狭く形成されており、内部には、ピニオン２４Ｒ及び２４Ｌの回転軸２２Ｒ及び２２Ｌの基端（使用者の顔側の端部）に形成されたストッパ２９Ｒ及び２９Ｌが、移動用孔２７Ｒ及び２７Ｌに沿って移動可能に収納されている。
【００５３】
ピニオン２４Ｒ及び２４Ｌは、その外周面に、ラック２６と噛合する複数の歯が形成されている。このピニオン２４Ｒ及び２４Ｌの中心部には、ピニオン２４Ｒ及び２４Ｌの回転中心となる回転軸２２Ｒ及び２２Ｌが設けられている。回転軸２２Ｒ及び２２Ｌの基端に形成されたストッパ２９Ｒ及び２９Ｌは、移動用孔２７Ｒ及び２７Ｌ内に移動可能に収納されているが、移動用孔２７Ｒ及び２７Ｌの開口部よりも大きいため、段部２３から外れることがない。
【００５４】
また、移動用孔２７Ｒ及び２７Ｌは、ピニオン２４Ｒ及び２４Ｌを移動可能であると共に、回転軸２２Ｒ及び２２Ｌが、移動用孔２７Ｒ及び２７Ｌを画定している壁に当接した際に、回転軸２２Ｒ及び２２Ｌを係止して、ピニオン２４Ｒ及び２４Ｌを停止させる役割も果たしている。
【００５５】
ピニオン２４Ｒ及び２４Ｌの上部には、アイブロウペンシル１００を保持する保持部材２８Ｒ及び２８Ｌが各々設けられている。この保持部材２８Ｒ及び２８Ｌは、略Ｃ字状を備えた弾性部材からなり、アイブロウペンシル１００を弾発的に着脱できる構成となっている。
【００５６】
この構成を備えた化粧用眼鏡フレーム２を利用して、左右の眉をアイブロウペンシル１００で描く場合、使用者は、先ず、図９に示すように、眼鏡をかける動作と同様にして、化粧用眼鏡フレーム２を装着する。次に、アイブロウペンシル１００を例えば、保持部材２８Ｌに装着して保持させる。次いで、保持部材２８Ｌに保持させたアイブロウペンシル１００を段部２３の上面２３Ｕに載せた状態で、アイブロウペンシル１００を動かすと、ピニオン２４Ｌがラック２６に形成された複数の歯に噛合しながら、左側リム１１Ｌの上端面の形状に沿って移動する。
【００５７】
この時、アイブロウペンシル１００は、保持部材２８Ｌに保持されていると共に、段部２３の上面２３Ｕに支持されているため、アイブロウペンシル１００が不必要に傾くことがなく、アイブロウペンシル１００を常に最適な角度で安定して保持することができる。したがって、アイブロウペンシル１００を動かすだけで、左の眉をバランス良く描くことができる。なお、右の眉を描く際も同様に行えばよい。
【００５８】
また、アイブロウペンシル１００は、左右の眉を任意の太さで描くことができる範囲において、上下に動かすことが可能である。
【００５９】
なお、実施例２にかかる化粧用眼鏡フレーム２は、右側リム１１Ｒ及び左側リム１１Ｌに、近視用、遠視用、遠近両用のいずれかのレンズ（図示せず）を嵌めて、化粧用眼鏡として使用することもできる。
【００６０】
また、実施例２では、支持部２５として、右側リム１１Ｒの上端部から左側リム１１Ｌの上端部にわたって一体に形成された構成のものを使用した場合について説明したが、これに限らず、支持部は、右側リム１１Ｒの上端部と、左側リム１１Ｌの上端部に、それぞれ独立した状態で設けてもよい。
【００６１】
また、実施例２では、支持部２５を使用者の顔の近傍まで延出させた場合について説明したが、支持部２５は、所望により、使用者の顔に接触するまで延出させてもよい。
【００６２】
そしてまた、実施例２では、保持部材２８Ｒ及び２８Ｌによりアイブロウペンシル１００を確実に保持できるので、支持部２５を必ずしも設けなくてもよい。
【００６３】
さらにまた、実施例２で説明した化粧用眼鏡フレーム２とアイブロウペンシル１００（あるいは、筆、チップ等の眉描写具）をセットにして、化粧用キットとしてもよい。さらに、実施例２で説明した化粧用眼鏡と、アイブロウペンシル１００（あるいは、筆、チップ等の眉描写具）をセットにして、化粧用キットとしてもよい。
【実施例３】
【００６４】
次に、本発明の実施例３にかかる化粧用眼鏡フレーム及びこれを備えた化粧用眼鏡並びに化粧用キットについて図面を参照して説明する。
【００６５】
図１２は、実施例３にかかる化粧用眼鏡フレームの正面図、図１３は、図１２に示す化粧用眼鏡フレームの構成要素であるフレーム本体を示す斜視図、図１４は、図１２に示すフレーム本体に設けられる眉描写プレートの拡大側面図、図１５は、図１２に示す化粧用眼鏡フレームの上から見た平面図、図１６は、実施例３にかかる化粧用眼鏡フレームの使用状態を示す側面図である。
【００６６】
なお、実施例３では、実施例１及び実施例２で説明した部材と同様の部材には、同一の符号を付し、その詳細な説明は省略する。
【００６７】
図１２〜図１６に示すように、実施例３にかかる化粧用眼鏡フレーム３は、右側リム３１Ｒと、左側リム３１Ｌと、ブリッジ１２と、テンプル１３Ｒ及び１３Ｌと、からなるフレーム本体５０と、右側リム３１Ｒ及び左側リム３１Ｌの上部に各々設けられる眉描写プレート４０Ｒ及び４０Ｌと、を備えて構成されている。
【００６８】
右側リム３１Ｒ及び左側リム３１Ｌは、その上端面がほぼ水平面となっており、この部分には磁石３２Ｒ及び３２Ｌが埋設されている。この磁石３２Ｒ及び３２Ｌは、後に詳述する眉描写プレート４０Ｒ及び４０Ｌの金属製の下面を吸着して保持する役割を果たすものである。
【００６９】
眉描写プレート４０Ｒ及び４０Ｌには、所望の理想的な眉型形状を備えた眉描写用孔４１Ｒ及び４１Ｌが各々貫通形成されている。この眉描写用孔４１Ｒ及び４１Ｌは、アイブロウペンシル１００が移動可能に挿入されるよう形成されている。眉描写プレート４０Ｒ及び４０Ｌの眉描写用孔４１Ｒ及び４１Ｌの各々の下方には、眉描写用孔４１Ｒ及び４１Ｌの下縁４２Ｒ及び４２Ｌの形状を保持して使用者の顔の近傍まで延出した支持部４５Ｒ及び４５Ｌが設けられている。そして、この支持部４５Ｒ及び４５Ｌの上面が、眉描写用孔４１Ｒ及び４１Ｌに挿入されたアイブロウペンシル１００を移動可能に支持することが可能な支持領域となっている。
【００７０】
眉描写プレート４０Ｒ及び４０Ｌの下面は、金属から構成されており、右側リム３１Ｒ及び左側リム３１Ｌの上端面に埋設された磁石３２Ｒ及び３２Ｌに吸着されるようになっている。
【００７１】
この構成を備えた化粧用眼鏡フレーム３は、フレーム本体５０に対し、眉描写プレート４０Ｒ及び４０Ｌを着脱可能に設けることができるため、眉描写用孔４１Ｒ及び４１Ｌの形状が異なる眉描写プレート４０Ｒ及び４０Ｌを用意すれば、一つのフレーム本体５０であっても、眉描写プレート４０Ｒ及び４０Ｌを交換することにより、複数の種類の眉を描写することができる。
【００７２】
この構成を備えた化粧用眼鏡フレーム３を利用して、使用者が、左右の眉をアイブロウペンシル１００で描く場合、使用者は、先ず、図１６に示すように、右側リム３１Ｒ及び左側リム３１Ｌの上端面に、眉描写プレート４０Ｒ及び４０Ｌを各々吸着させて、フレーム本体５０に眉描写プレート４０Ｒ及び４０Ｌを装着する。次に、眼鏡をかける動作と同様にして、化粧用眼鏡フレーム３を装着する。次いで、アイブロウペンシル１００を、例えば、眉描写用孔４１Ｌに挿入して、挿入させたアイブロウペンシル１００を支持部４５Ｌの上面に載せた状態で、眉描写用孔４１Ｌの形状に沿って、アイブロウペンシル１００を動かす。
【００７３】
この時、アイブロウペンシル１００は、支持部４５Ｌの上面に支持されているため、アイブロウペンシル１００が不必要に傾くことがなく、アイブロウペンシル１００を常に最適な角度で安定して保持することができる。したがって、アイブロウペンシル１００を動かすだけで、左の眉をバランス良く描くことができる。なお、右の眉を描く際も同様に行えばよい。
【００７４】
また、アイブロウペンシル１００は、左右の眉を任意の太さで描くことができる範囲において、上下に動かすことが可能である。
【００７５】
なお、実施例３にかかる化粧用眼鏡フレーム３は、右側リム３１Ｒ及び左側リム３１Ｌに、近視用、遠視用、遠近両用のいずれかのレンズ（図示せず）を嵌めて、化粧用眼鏡として使用することもできる。
【００７６】
また、実施例３では、右側リム３１Ｒ及び左側リム３１Ｌの上端面に磁石３２Ｒ及び３２Ｌを各々埋設し、眉描写プレート４０Ｒ及び４０Ｌの下面を金属から構成した場合について説明したが、これに限らず、右側リム３１Ｒ及び左側リム３１Ｌの上端面を金属から構成し、眉描写プレート４０Ｒ及び４０Ｌの下面に磁石を埋設してもよく、両者に磁石を埋設してもよい。
【００７７】
そしてまた、図１７に示すように、右側リム３１Ｒ及び左側リム３１Ｌの上端面に凸部５１Ｒ及び５１Ｌを形成し、この凸部５１Ｒ及び５１Ｌの使用者の顔から離れる面に、磁石５２Ｒ及び５２Ｌを埋設し、眉描写プレート４０Ｒ及び４０Ｌの少なくとも裏面を金属から構成して、磁石５２Ｒ及び５２Ｌで眉描写プレート４０Ｒ及び４０Ｌを吸着させてもよい。
【００７８】
さらにまた、フレーム本体５０と、眉描写プレート４０Ｒ及び４０Ｌを磁石によって固定する代わりに、図１８及び図１９に示すように、右側リム３１Ｒ及び左側リム３１Ｌの上端面に凸部１３２Ｒ及び１３２Ｌをそれぞれ２カ所ずつ形成し、眉描写プレート４０Ｒ及び４０Ｌに、凸部１３２Ｒ及び１３２Ｌが各々収容される孔１３３Ｒ及び１３３Ｌを形成して、凸部１３２Ｒ及び１３２Ｌを孔１３３Ｒ及び１３３Ｌに嵌め込むことにより、フレーム本体５０に眉描写プレート４０Ｒ及び４０Ｌを固定してもよい。
【００７９】
この場合、フレーム本体５０側に孔１３３Ｒ及び１３３Ｌを形成し、眉描写プレート４０Ｒ及び４０Ｌ側に凸部１３２Ｒ及び１３２Ｌを形成してもよい。
【００８０】
さらにまた、実施例３では、フレーム本体５０と、眉描写プレート４０Ｒ及び４０Ｌとを別体として構成したが、これに限らず、フレーム本体５０と、眉描写プレート４０Ｒ及び４０Ｌは、一体に形成してもよい。
【００８１】
また、実施例３では、支持部４５Ｒ及び４５Ｌを使用者の顔の近傍まで延出させた場合について説明したが、支持部４５Ｒ及び４５Ｌは、所望により、使用者の顔に接触するまで延出させてもよい。
【００８２】
そしてまた、実施例３で説明した化粧用眼鏡フレーム３とアイブロウペンシル１００（あるいは、筆、チップ等の眉描写具）をセットにして、化粧用キットとしてもよい。さらに、実施例３で説明した化粧用眼鏡と、アイブロウペンシル１００（あるいは、筆、チップ等の眉描写具）をセットにして、化粧用キットとしてもよい。
【図面の簡単な説明】
【００８３】
【図１】実施例１にかかる化粧用眼鏡フレームの正面図である。
【図２】図１に示す化粧用眼鏡フレームの側面図である。
【図３】図１に示す化粧用眼鏡フレームの上から見た平面図である。
【図４】本発明の実施例１にかかる化粧用眼鏡フレームの使用状態を示す正面図である。
【図５】本発明の実施例１にかかる化粧用眼鏡フレームの使用状態を示す側面図である。
【図６】本発明の実施例２にかかる化粧用眼鏡フレームの正面図である。
【図７】図６に示す化粧用眼鏡フレームの側面図である。
【図８】図６に示す化粧用眼鏡フレームの上から見た平面図である。
【図９】本発明の実施例２にかかる化粧用眼鏡フレームの使用状態を示す側面図である。
【図１０】図６の一部拡大図、図１１は、図７の一部拡大図である。
【図１１】図７の一部拡大図である。
【図１２】本発明の実施例３にかかる化粧用眼鏡フレームの正面図である。
【図１３】図１２に示す化粧用眼鏡フレームの構成要素であるフレーム本体を示す斜視図である。
【図１４】図１２に示すフレーム本体に設けられる眉描写プレートの拡大側面図である。
【図１５】図１２に示す化粧用眼鏡フレームの上から見た平面図である。
【図１６】本発明の実施例３にかかる化粧用眼鏡フレームの使用状態を示す側面図である。
【図１７】本発明の他の実施例にかかる化粧用眼鏡フレームの構成要素であるフレーム本体を示す斜視図である。
【図１８】本発明の他の実施例にかかる化粧用眼鏡フレームの使用状態を示す側面図である。
【図１９】本発明の他の実施例にかかる化粧用眼鏡フレームの構成要素であるフレーム本体を示す斜視図である。
【符号の説明】
【００８４】
１、２、３    化粧用眼鏡フレーム
１１Ｒ、３１Ｒ    右側リブ
１１Ｌ、３１Ｌ    左側リブ
１５、２５、４５Ｒ、４５Ｌ    支持部
２３    段部
２４    ピニオン
２６    ラック
２８Ｒ、２８Ｌ    保持部材
４０Ｒ、４０Ｌ    眉描写プレート
４１Ｒ、４１Ｌ    眉描写用孔
５０    フレーム本体
１００    ペンシル
【図１】
2006047615.tif 000003
【図２】
2006047615.tif 000004
【図３】
2006047615.tif 000005
【図４】
2006047615.tif 000006
【図５】
2006047615.tif 000007
【図６】
2006047615.tif 000008
【図７】
2006047615.tif 000009
【図８】
2006047615.tif 000010
【図９】
2006047615.tif 000011
【図１０】
2006047615.tif 000012
【図１１】
2006047615.tif 000013
【図１２】
2006047615.tif 000014
【図１３】
2006047615.tif 000015
【図１４】
2006047615.tif 000016
【図１５】
2006047615.tif 000017
【図１６】
2006047615.tif 000018
【図１７】
2006047615.tif 000019
【図１８】
2006047615.tif 000020
【図１９】
2006047615.tif 000021